(57)【特許請求の範囲】
【請求項１】
合成樹脂製の下ケースと前記下ケースの上側に係合される合成樹脂製の上ケースとが設けられ、上面、底面、前面、及び一対の側面を備えたカセットケースと、
前記カセットケース内部で支持され巻回された両面粘着テープ、フィルムテープ、及びインクリボンと、
前記インクリボンを巻き取るリボン巻き取りスプールと、
前記下ケースと前記上ケースとが係合する複数の係合部と、
前記両面粘着テープが収納される領域であって、壁部によって規定される両面テープ収納領域と、
前記インクリボンが収納されるインクリボン収納領域と
を備え、
前記係合部は、
前記下ケース及び前記上ケースのいずれか一方に設けられ、中心に孔部を有する筒部材と、
前記下ケース及び前記上ケースの他方に設けられ、前記孔部に圧入され、前記上ケースと前記下ケースとを係合する圧入部材とを備え、
全ての前記係合部が、前記前面と前記一対の側面とを含む外周壁から前記カセットケースの内側に離間した位置に設けられ、
前記複数の係合部は、互いに前記両面粘着テープを挟んで対向する位置、又は、互いを結ぶ線が前記両面テープ収納領域と交差する位置に配置された前記係合部と、前記フィルムテープの巻回中心を挟んで対向する位置に配置された前記係合部と、互いを結ぶ線が前記インクリボン収納領域と交差する位置に配置された前記係合部と、前記リボン巻き取りスプールの巻回中心を挟んで対向する位置に配置された前記係合部とを含み、
前記係合部の少なくとも１つは、前記壁部に接触していることを特徴とするテープカセット。
【請求項２】
前記カセットケースは前記前面に対向する背面をさらに備え、
前記外周壁は、前記前面と前記背面と前記一対の側面とを含むことを特徴とする請求項１に記載のテープカセット。
【請求項３】
前記下ケースと前記上ケースとが係合する複数の第二係合部を備え、
前記第二係合部は、
前記下ケース及び前記上ケースのいずれか一方の前記外周壁に設けられ、ケースの外部と内部を連通する開口部と、
前記下ケース及び前記上ケースの他方に設けられ、前記開口部と係合する突起を有する係合片と
をさらに備えたことを特徴とする請求項１又は２に記載のテープカセット。
【請求項４】
前記外周壁を構成する各面又は各面の近傍に、前記第二係合部が設けられたことを特徴とする請求項３に記載のテープカセット。
【発明の詳細な説明】
【技術分野】
【０００１】
本発明は、テープ印字装置に着脱自在なテープカセットに関する。
【背景技術】
【０００２】
従来、テープ印字装置のカセット装着部に着脱されるテープカセットが知られている。例えば、特許文献１に記載のテープカセットでは、下ケースの外周に４個の小孔が形成されている。また、上ケースにおける下ケースの４個の小孔に対応した位置にはピンが備えられている。そして、上ケースのピンが下ケースの小孔に圧入されることで、上ケースと下ケースとが接合されている。
【先行技術文献】
【特許文献】
【０００３】
【特許文献１】特開２００１−４８３８９号公報
【発明の概要】
【発明が解決しようとする課題】
【０００４】
しかしながら、特許文献１に記載のテープカセットでは、外周に設けられた小孔にピンが圧入された場合、小孔が外側に膨らむ。テープカセットの外周に設けられた小孔が外側に膨らむことで、テープカセットの外周に変形や白化などの外観上の不具合が発生するという問題点があった。
【０００５】
本発明は、上記課題を解決するためになされたものであり、テープカセットの外周に外観上の不具合が発生することを防止することが可能なテープカセットを提供することを目的とする。
【課題を解決するための手段】
【０００６】
上記目的を達成するために、請求項１に記載のテープカセットは、合成樹脂製の下ケースと前記下ケースの上側に係合される合成樹脂製の上ケースとが設けられ、上面、底面、前面、及び一対の側面を備えたカセットケースと、前記カセットケース内部で支持され巻回された両面粘着テープ、フィルムテープ、及びインクリボンと、前記インクリボンを巻き取るリボン巻き取りスプールと、前記下ケースと前記上ケースとが係合する複数の係合部と、前記両面粘着テープが収納される領域であって、壁部によって規定される両面テープ収納領域と、前記インクリボンが収納されるインクリボン収納領域とを備え、前記係合部は、前記下ケース及び前記上ケースのいずれか一方に設けられ、中心に孔部を有する筒部材と、前記下ケース及び前記上ケースの他方に設けられ、前記孔部に圧入され、前記上ケースと前記下ケースとを係合する圧入部材とを備え、全ての前記係合部が、前記前面と前記一対の側面とを含む外周壁から前記カセットケースの内側に離間した位置に設けられ、前記複数の係合部は、互いに前記両面粘着テープを挟んで対向する位置、又は、互いを結ぶ線が前記両面テープ収納領域と交差する位置に配置された前記係合部と、前記フィルムテープの巻回中心を挟んで対向する位置に配置された前記係合部と、互いを結ぶ線が前記インクリボン収納領域と交差する位置に配置された前記係合部と、前記リボン巻き取りスプールの巻回中心を挟んで対向する位置に配置された前記係合部とを含み、前記係合部の少なくとも１つは、前記壁部に接触していることを特徴とする。
【０００７】
請求項２に記載のテープカセットは、請求項１に記載の発明の構成に加えて、前記カセットケースは前記前面に対向する背面をさらに備え、前記外周壁は、前記前面と前記背面と前記一対の側面とを含むことを特徴とする。
【０００８】
【０００９】
【００１０】
請求項３に記載のテープカセットは、請求項１又は２に記載の発明の構成に加えて、前記下ケースと前記上ケースとが係合する複数の第二係合部を備え、前記第二係合部は、前記下ケース及び前記上ケースのいずれか一方の前記外周壁に設けられ、ケースの外部と内部を連通する開口部と、前記下ケース及び前記上ケースの他方に設けられ、前記開口部と係合する突起を有する係合片とをさらに備えたことを特徴とする。
【００１１】
請求項４に記載のテープカセットは、請求項３に記載の発明の構成に加えて、前記外周壁を構成する各面又は各面の近傍に、前記第二係合部が設けられたことを特徴とする。
【発明の効果】
【００１２】
請求項１に係る発明のテープカセットによれば、係合部が、前面と一対の側面とを含む外周壁から内側に離間した位置に設けられているので、筒部材に圧入部材が圧入された場合でも、テープカセットの外周壁に変形や白化などの外観上の不具合が発生することがない。また、係合部がテープ収納領域の近傍に設けられている。つまり、重量の重いテープの近傍で上ケースと下ケースとが係合されている。このため、テープカセットに衝撃が加えられた場合に、上ケースと下ケースとが離れてしまうことを抑制することができる。
【００１３】
請求項２に係る発明のテープカセットによれば、テープカセットに背面が設けられ、前面と背面と一対の側面とを含む外周壁から離間した位置に係合部が設けられるので、請求項１に記載の発明の効果に加え、背面に変形や白化などの外観上の不具合が発生することがない。
【００１４】
【００１５】
【００１６】
請求項３に係る発明のテープカセットによれば、筒部材と圧入部材とによって、上ケースと下ケースとが係合されるのに加えて、開口部と係合片とによって、上ケースと下ケースとが係合されるので、請求項１又は２に記載の発明の効果に加え、テープカセットに衝撃が加えられた場合に、上ケースと下ケースとが離れてしまうことをさらに抑制することができる。
【００１７】
請求項４に係る発明のテープカセットによれば、テープカセットの外周壁を構成する各面又は各面の近傍に、第二係合部が設けられているので、請求項３に記載の発明の効果に加え、テープカセットに衝撃が加えられた場合に、上ケースと下ケースとが離れてしまうことをさらに抑制することができる。
【図面の簡単な説明】
【００１８】
【図１】カセットカバー６が閉鎖された状態におけるテープ印字装置１の斜視図である
【図２】カセットカバー６が開放された状態におけるテープ印字装置１の斜視図である。
【図３】プラテンホルダ１２が待機位置に移動している場合における、上ケース３１ａを取り外した状態のテープカセット３０が装着されたカセット装着部８の平面図である。
【図４】プラテンホルダ１２が印字位置に移動している場合における、上ケース３１ａを取り外した状態のテープカセット３０が装着されたカセット装着部８の平面図である。
【図５】テープカセット３０の斜視図である。
【図６】フック係合部７８ａが設けられた半円溝３８及びアーム前面３５の部分拡大図である。
【図７】係合アーム８０が設けられた上ケース３１ａの上半円溝３８ａの部分拡大斜視図である。
【図８】上ケース３１ａと下ケース３１ｂとが係合する途中の状態における係合アーム８０ａと係合孔７９ａとを説明するためのテープカセット３０の縦断面図である。
【図９】上ケース３１ａと下ケース３１ｂとが係合した状態におけるフック係合部７８ａを説明するためのテープカセット３０の縦断面図である。
【図１０】円筒部材８６の斜視図である。
【図１１】圧入ピン８７の斜視図である。
【図１２】上ケース３１ａと下ケース３１ｂとが係合する途中の状態における円筒部材８６と圧入ピン８７とを説明するためのテープカセット３０の縦断面図である。
【図１３】上ケース３１ａと下ケース３１ｂとが係合する途中の状態における円筒部材８６と圧入ピン８７とを説明するためのテープカセット３０の縦断面図である。
【図１４】上ケース３１ａと下ケース３１ｂとが係合した状態における圧入係合部８８を説明するためのテープカセット３０の縦断面図である。
【図１５】上ケース３１ａを取り外した状態のテープカセット３０の平面図である。
【図１６】テープカセット３０の上ケース３１ａの底面図である。
【発明を実施するための形態】
【００１９】
以下、本発明を具体化した実施の形態について、図面を参照して説明する。なお、参照する図面は、本発明が採用しうる技術的特徴を説明するために用いられるものであり、記載されている装置の構成などは、それのみに限定する趣旨ではなく、単なる説明例である。
【００２０】
第一の実施形態に係るテープ印字装置１およびテープカセット３０について、図面を参照して以下に後述する。本実施形態の説明では、図１の左下側をテープ印字装置１の前側とし、図１の右上側をテープ印字装置１の後側とし、図１の右下側をテープ印字装置１の右側とし、図１の左上側をテープ印字装置１の左側とする。また、図５の右下側をテープカセット３０の前側とし、図５の左上側をテープカセット３０の後側とし、図５の右上側をテープカセット３０の右側とし、図５の左下側をテープカセット３０の左側とする。
【００２１】
なお、以下の説明で使用される図３及び図４において、カセット装着部８の周囲を形成する壁が図示されている場合、これらの図はあくまでも模式図であるため、図中に示す壁は、実際よりも厚く描かれている。また、図３及び図４において、カセット装着部８に装着された状態で図示されているテープカセット３０は、上ケース３１ａが取り外された状態のものである。
【００２２】
はじめに、第一の実施形態に係るテープ印字装置１の概略構成について説明する。テープ印字装置１は、１台で感熱タイプ、レセプタタイプ、ラミネートタイプ、感熱ラミネートタイプ等、各種のテープカセットに対応させることが可能な汎用のテープ印字装置である。第一の実施形態では、印字面にラミネートが施されたラミネートテープを作成する例を例示する。
【００２３】
図１及び図２に示すように、テープ印字装置１は、平面視長方形状の本体カバー２を備えている。本体カバー２の前側には、文字、記号、及び数字等の文字キーや、種々の機能キー等を含むキーボード３が配設されている。キーボード３の後側には、入力した文字や記号を表示可能なディスプレイ５が設けられている。ディスプレイ５の後側には、テープカセット３０（図５参照）の交換時に開閉されるカセットカバー６が設けられている。また、本体カバー２の左側面後方には、印字済みのテープを外部に排出するための排出スリット９が設けられており、カセットカバー６の左側面には、カセットカバー６を閉じた状態で排出スリット９を外部に露出させる排出窓１１が形成されている。カセットカバー６の前面略中央には、その下面から下方に突出する鉤状の係止ロック４が設けられている。本体カバー２には、係止ロック４に対応する位置にロック孔７が設けられており、カセットカバー６が閉じられると係止ロック４がロック孔７に嵌め込まれて係止されることで、カセットカバー６の自然開放が防止される。
【００２４】
次に、図２乃至図４を参照して、カセットカバー６に対応する本体カバー２の内部構造について説明する。図２に示すように、カセットカバー６に対応する本体カバー２の内部には、テープカセット３０（図５参照）が着脱自在な領域であるカセット装着部８が設けられている。カセット装着部８は、テープカセット３０が装着された場合に後述するカセットケース３１の底面３０ｂの形状と略対応するように凹設されている。
【００２５】
カセット装着部８には、テープカセット３０からテープを引き出して搬送する搬送機構や、テープの表面に文字等を印字する印字機構等が設けられている。図２乃至図４に示すように、カセット装着部８には、リボンスプール４２から引き出されて文字等の印刷に使用された後のインクリボン６０を巻取るためのリボン巻取軸９５が立設されている。リボン巻取軸９５の左前方には、正面視で略矩形状のヘッドホルダ７４が立設されている。ヘッドホルダ７４の左方には、印字済テープ５０を送り駆動するためのテープ駆動軸１００が立設されている。
【００２６】
図３および図４に示すように、ヘッドホルダ７４の前面には、フィルムテープ５９に文字等を印字するサーマルヘッド１０が取り付けられている。また、ヘッドホルダ７４の前側には、アーム状のプラテンホルダ１２が軸支部１２ａを中心に揺動可能に軸支されている。プラテンホルダ１２の先端側には、サーマルヘッド１０に相対して接離可能に設けられたプラテンローラ１５と、テープ駆動軸１００が嵌挿されるテープ駆動ローラ４６に相対して接離可能に設けられた可動搬送ローラ１４とが共に回転可能に軸支されている。
【００２７】
プラテンホルダ１２には、カセットカバー６の開閉に連動して左右方向に移動する図示しないリリースレバーが連結されている。カセットカバー６が開放されると、リリースレバーが右方向に移動して、プラテンホルダ１２が図３に示す待機位置に向けて移動する。図３に示す待機位置では、プラテンホルダ１２がカセット装着部８から離間する方向に移動するので、テープカセット３０をカセット装着部８に着脱することができる。なお、プラテンホルダ１２は、図示しない巻きバネにより常に待機位置に弾性付勢されている。
【００２８】
一方、カセットカバー６が閉鎖されると、リリースレバーが左方向に移動して、プラテンホルダ１２が図４に示す印字位置に向けて移動する。図４に示す印字位置では、プラテンホルダ１２がカセット装着部８に近接する方向に移動する。そして、カセット装着部８にテープカセット３０が装着されていれば、プラテンローラ１５がフィルムテープ５９とインクリボン６０とを介してサーマルヘッド１０を押圧するとともに、可動搬送ローラ１４が両面粘着テープ５８とフィルムテープ５９とを介してテープ駆動ローラ４６を押圧する。これによって、図４に示す印字位置では、カセット装着部８に装着されたテープカセット３０を使用して印字を行うことが可能となる。なお、両面粘着テープ５８、フィルムテープ５９およびインクリボン６０の詳細は、後述する。
【００２９】
また、図３及び図４に示すように、テープカセット３０のテープ排出口４９からテープ印字装置１の排出スリット９（図２参照）までの間には、印字済テープ５０が搬送される搬送経路が設けられている。この搬送経路には、印字済テープ５０を所定位置で切断するカット機構１７が設けられている。カット機構１７は、固定刃１８と、固定刃１８に対向して前後方向（図３に示す上下方向）に移動可能に支持された移動刃１９とで構成されている。なお、移動刃１９は、カッターモータ（図示せず）によって前後方向に移動される。
【００３０】
次に、図３乃至図５を参照して、本実施形態に係るテープカセット３０の構造について説明する。本実施形態のテープカセット３０は、感熱タイプ、レセプタタイプ、ラミネートタイプ、感熱ラミネートタイプ等、各種のテープカセットとして利用可能な汎用のテープカセットをラミネートタイプ用のテープカセットとして使用している例である。
【００３１】
図５に示すように、テープカセット３０は、全体としては平面視で丸みを帯びた角部を有する略直方体状（箱型）の筐体であるカセットケース３１を有している。カセットケース３１は、カセットケース３１の底面３０ｂを含む下ケース３１ｂと、カセットケース３１の上面３０ａを含み、下ケース３１ｂの上部に固定される上ケース３１ａとで構成される。以下では、底面３０ｂから上面３０ａまでの距離を、テープカセット３０またはカセットケース３１の高さ寸法という。
【００３２】
カセットケース３１は、テープカセット３０のテープ種類（例えば、テープ幅や印字態様など）にかかわらず、同一の幅（上下方向の長さが同一）に形成された角部３２ａを有する。角部３２ａは、平面視で直角をなすように外側方向に突出している。ただし、平面視で左下の角部３２ａでは、テープ排出口４９が角に設けられているために、直角はなしていない。
【００３３】
図５に示すように、上ケース３１ａおよび下ケース３１ｂには、それぞれ後述のスプール類を回転可能に支持する支持孔６５、６６、６７が設けられている。なお、図５には、上ケース３１ａに形成された各支持孔６５、６６、６７のみしか図示されていないが、下ケース３１ｂについても同様に、上ケース３１ａの各支持孔６５、６６、６７に対応する各支持孔６５、６６、６７が形成されている。
【００３４】
また、支持孔６７の右方には、平面視で縦長長方形状の一対の孔であるカセット矩形孔６８が設けられている。一対のカセット矩形孔６８は、所定の間隔で左右に並んで配置されている。一対のカセット矩形孔６８の互いに向き合う壁面には、開口（図示せず）が設けられている。また、一対のカセット矩形孔６８の右側のカセット矩形孔６８の右側の壁面には、後述するフック係合部７８ｅ（図１５参照）が設けられている。なお、図５には、上ケース３１ａに形成されたカセット矩形孔６８のみしか図示されていないが、下ケース３１ｂについても同様に、上ケース３１ａのカセット矩形孔６８に対応するカセット矩形孔６８が設けられている。
【００３５】
図３および図４に示すように、カセットケース３１内には、第一テープスプール４０に巻回された両面粘着テープ５８、第二テープスプール４１に巻回された透明なフィルムテープ５９、および、リボンスプール４２に巻回されたインクリボン６０の３種類のテープロールが収納されている。両面粘着テープ５８は一面に剥離紙が貼着された両面テープであり、印字済みのフィルムテープ５９の印字面側に貼り合わされる。
【００３６】
両面粘着テープ５８の剥離紙を外側に向けて巻回した第一テープスプール４０は、カセットケース３１内の左側後部において、前述の支持孔６５を介して回転可能に配置されている。フィルムテープ５９が巻回された第二テープスプール４１は、カセットケース３１内の右側後部において、前述の支持孔６６を介して回転可能に配置されている。リボンスプール４２に巻回されたインクリボン６０は、カセットケース３１内の右側前部において回転可能に配置されている。
【００３７】
カセットケース３１内における第一テープスプール４０とリボンスプール４２との間には、リボンスプール４２からインクリボン６０を引き出すとともに、文字等の印字にて使用されたインクリボン６０を巻き取るリボン巻取スプール４４が、前述の支持孔６７を介して回転可能に配置されている。なお、リボン巻取スプール４４の下部には、リボン巻取スプール４４が逆転することで巻き取ったインクリボン６０が緩んでしまうのを防止するためのクラッチバネ（図示せず）が取り付けられている。
【００３８】
また、巻回された両面粘着テープ５８の周囲には、両面粘着テープ５８を平面視で円形に取り囲むように、３箇所の両面テープ周囲壁２１ａ〜２１ｃが立設されている。３箇所の両面テープ周囲壁２１ａ〜２１ｃのうち、両面テープ周囲壁２１ａは、両面粘着テープ５８の右後側に円弧状に設けられている。より詳細には、両面粘着テープ５８の後側よりやや右方から、両面粘着テープ５８の右側よりやや後方にかけて円弧状に設けられている。また、両面テープ周囲壁２１ｂは、両面粘着テープ５８の左後側に円弧状に設けられている。より詳細には、両面粘着テープ５８の後側よりやや左方から、両面粘着テープ５８の左側よりやや後方にかけて円弧状に設けられている。また、両面テープ周囲壁２１ｃは、両面粘着テープ５８の右前側に円弧状に設けられている。より詳細には、両面粘着テープ５８の前側から、両面粘着テープ５８の右前側にかけて円弧状に設けられている。これらの両面テープ周囲壁２１ａ〜２１ｃによって平面視で円形に規定される両面粘着テープ５８の配置領域を、第一収納領域２３という。
【００３９】
また、巻回されたフィルムテープ５９の周囲には、フィルムテープ５９を平面視で円形に取り囲むように、２箇所のフィルムテープ周囲壁２２ａ、２２ｂが立設されている。２箇所のフィルムテープ周囲壁２２ａ、２２ｂのうち、フィルムテープ周囲壁２２ａはフィルムテープ５９の前側から、フィルムテープ５９の左側のやや下方にかけて、円弧状に設けられている。また、フィルムテープ周囲壁２２ｂは、フィルムテープ５９の左側から、後側を経由して、右前側にかけて、円弧状に設けられている。これらのフィルムテープ周囲壁２２ａ、２２ｂによって平面視で円形に規定されるフィルムテープ５９の配置領域を第二収納領域２４という。
【００４０】
また、使用前の巻回されたインクリボン６０が配置される平面視で円形の配置領域を、第三収納領域２５という。また、使用後のインクリボン６０が巻回されるリボン巻取スプール４４が配置される平面視で円形の配置領域を第四収納領域２６という。
【００４１】
また、下ケース３１ｂにおける各収納領域２３〜２６の周囲には、複数の円筒部材８６ａ〜８６ｈが設けられている。また、上ケース３１ａにおける下ケース３１ｂの円筒部材８６ａ〜８６ｈに対応した位置には、圧入ピン８７ａ〜８７ｈが設けられている（図１１および図１６参照）。円筒部材８６ａ〜８６ｈに設けられた円筒孔部８６１に、圧入ピン８７ａ〜８７ｈがそれぞれ挿入されることで、上ケース３１ａと下ケース３１ｂとを係合する部分である圧入係合部８８ａ〜８８ｈが構成される。
【００４２】
また、下ケース３１ｂには、複数の係合孔７９ａ〜７９ｆが設けられている。また、上ケース３１ａにおける下ケース３１ｂの係合孔７９ａ〜７９ｆに対応した位置には、係合アーム８０ａ〜８０ｆが設けられている（図７および図１６参照）。係合孔７９ａ〜７９ｆに、係合アーム８０ａ〜８０ｆがそれぞれ係合することで、上ケース３１ａと下ケース３１ｂとを係合する部分であるフック係合部７８ａ〜７８ｆが構成される。
【００４３】
圧入係合部８８ａ〜８８ｈ及びフック係合部７８ａ〜７８ｆの構成及び配置の詳細は後述する。なお、以下では、圧入係合部８８ａ〜８８ｈを総称する場合、または何れかを特定しない場合には、単に圧入係合部８８という。また、円筒部材８６ａ〜８６ｈを総称する場合、または何れかを特定しない場合には、単に円筒部材８６という。また、圧入ピン８７ａ〜８７ｈを総称する場合、または何れかを特定しない場合には、単に圧入ピン８７という。また、フック係合部７８ａ〜７８ｆを総称する場合、または何れかを特定しない場合には、単にフック係合部７８という。また、係合孔７９ａ〜７９ｆを総称する場合、または何れかを特定しない場合には、単に係合孔７９という。また、係合アーム８０ａ〜８０ｆを総称する場合、または何れかを特定しない場合には、単に係合アーム８０という。
【００４４】
また、図５に示すように、カセットケース３１の前面には、平面視で略半円状をなす溝部である半円溝３８が、カセットケース３１の高さ方向（つまり、上面３０ａから底面３０ｂ）に亘って設けられている。半円溝３８を構成する部分のうち、上ケース３１ａに形成された溝部を上半円溝３８ａ、下ケース３１ｂに形成された溝部を下半円溝３８ｂという。半円溝３８は上半円溝３８ａと下半円溝３８ｂとから構成されている。半円溝３８は、テープカセット３０がカセット装着部８に装着されたときに、プラテンホルダ１２の軸支部１２ａ（図３参照）がカセットケース３１と干渉しないように設けられた逃がし部である。
【００４５】
図５に示すように、カセットケース３１の前面のうち、半円溝３８から左に延びる部分を、アーム前面３５という。アーム前面３５と、アーム前面３５から後方へ離間した位置に高さ方向に亘って設けられたアーム背面３７とで規定される、テープカセット３０右側から左方に延びる部位をアーム部３４という。
【００４６】
なお、以下の説明では、アーム前面３５及び半円溝３８を含むテープカセット３０の前面を形成する壁を、前面壁２７１という。また、テープカセット３０の背面を形成する壁を背面壁２７２という。また、テープカセット３０の右面を形成する壁を右面壁２７３という。また、テープカセット３０の左面を形成する壁を左面壁２７４という。また、前面壁２７１と背面壁２７２と右面壁２７３と左面壁２７４とで構成される、テープカセット３０の外周を外周壁２７という。
【００４７】
図３及び図４に示すように、アーム部３４内には、第二テープスプール４１から引き出されたフィルムテープ５９と、リボンスプール４２から引き出されたインクリボン６０とが共に案内されている。アーム前面３５の先端部は後方へ向かって屈曲しており、アーム前面３５とアーム背面３７の先端により、排出口３４ａが形成されている。排出口３４ａで重合された状態となったフィルムテープ５９とインクリボン６０とは、後述する露出部７７に向けて排出される。
【００４８】
アーム背面３７と、アーム背面３７から連続して設けられた周壁面とによって囲まれた、テープカセット３０を上下方向に貫通する平面視略長方形状の空間は、ヘッド挿入部３９である。以下、このアーム背面３７から連続して設けられた周壁面を構成する壁を、ヘッド挿入部壁３３という。ヘッド挿入部３９は、テープカセット３０の前面に設けられた開口である露出部７７によってテープカセット３０の前面で外部とつながっている。ヘッド挿入部３９には、テープ印字装置１のサーマルヘッド１０を支持するヘッドホルダ７４が挿入される。露出部７７では、アーム部３４の排出口３４ａから排出されたフィルムテープ５９の一面が前方に露出され、且つその他面が後方のサーマルヘッド１０に対向する。本実施形態では、フィルムテープ５９の他面がインクリボン６０を挟んでサーマルヘッド１０に対向している。そして、露出部７７では、サーマルヘッド１０によるフィルムテープ５９への印字が、インクリボン６０を使用して行われる。
【００４９】
図３および図４に示すように、アーム部３４の排出口３４ａからテープ排出口４９までのフィルムテープ５９およびインクリボン６０の搬送方向において、ヘッド挿入部３９の下流側にはテープ駆動ローラ４６が回転可能に軸支されている。テープ駆動ローラ４６は、その内部に挿嵌されるテープ駆動軸１００によって回転駆動される。そして、テープ駆動ローラ４６と、テープ駆動ローラ４６に対向するプラテンホルダ１２の可動搬送ローラ１４とが協働して、第二テープスプール４１からフィルムテープ５９を引き出すとともに、第一テープスプール４０から両面粘着テープ５８を引き出し、フィルムテープ５９の印字面にガイドして接着させる。
【００５０】
図３乃至図５に示すように、テープ駆動ローラ４６の上流側には、上下一対の規制部材３６が設けられている。規制部材３６の基部は、サーマルヘッド１０の下流側にて、印字後のフィルムテープ５９を上下方向（テープ幅方向）に規制してテープ排出口４９に向かって案内するとともに、フィルムテープ５９と両面粘着テープ５８との間に位置ズレを生じることなく適正に接着させる。規制部材３６の近傍には、ヘッド挿入部３９を経由して搬送された使用済みのインクリボン６０をフィルムテープ５９から離間させ、リボン巻取スプール４４に向かって案内するための案内壁４７が立設されている。案内壁４７とリボン巻取スプール４４との間には、前述した両面粘着テープ５８の右前側の両面テープ周囲壁２１ｃが設けられており、この両面テープ周囲壁２１ｃが、案内壁４７に沿って案内される使用済みのインクリボン６０と、第一テープスプール４０に巻回して支持された両面粘着テープ５８とが互いに接触するのを防止する。また、後述する円筒部材８６ｅの左側には、略矩形状の壁部である矩形壁６９が設けられている（図１５参照）。矩形壁６９の左面は、左面壁２７４と一体として形成されている。また、矩形壁６９の右面には、後述する係合孔７９ｆが設けられている。
【００５１】
テープ印字装置１における印字実行時には、テープ駆動軸１００を介して回転駆動されるテープ駆動ローラ４６が、可動搬送ローラ１４との協働によって、第二テープスプール４１からフィルムテープ５９を引き出す。また、リボン巻取軸９５を介して回転駆動されるリボン巻取スプール４４が、印字スピードと同期してリボンスプール４２から未使用のインクリボン６０を引き出す。第二テープスプール４１から引き出されたフィルムテープ５９は、リボンスプール４２の外側を通過しながらアーム部３４内の搬送経路に沿って搬送される。さらに、フィルムテープ５９はその表面にインクリボン６０が重合された状態で排出口３４ａからヘッド挿入部３９に供給され、テープ印字装置１のサーマルヘッド１０とプラテンローラ１５との間に搬送される。
【００５２】
そして、サーマルヘッド１０によって、フィルムテープ５９の印字面に対して文字、図形、記号等が印字される。その後、使用済みのインクリボン６０は案内壁４７にて印字済みのフィルムテープ５９から剥がされ、リボン巻取スプール４４に巻き取られる。一方、テープ駆動ローラ４６と可動搬送ローラ１４との協働によって、第一テープスプール４０から両面粘着テープ５８が引き出される。この両面粘着テープ５８は、テープ駆動ローラ４６と可動搬送ローラ１４との間にガイドされて巻き込まれながら、印字済みのフィルムテープ５９の印字面に重ねられて貼着される。両面粘着テープ５８が貼着された印字済みのフィルムテープ５９（つまり、印字済テープ５０）は、さらにテープ排出口４９に向かって搬送され、カット機構１７によって切断される。
【００５３】
なお、本実施形態では、汎用カセットをラミネートタイプに構成したテープカセット３０を、汎用機であるテープ印字装置１にて使用している。それによって、テープ印字装置１は１台で感熱タイプ、レセプタタイプ、ラミネートタイプ、感熱ラミネートタイプ等、各種のテープカセットに対応させることが可能であり、１台毎に異なるテープ印字装置を用いる必要がない。
【００５４】
次に、図６乃至図９を参照してフック係合部７８の構造について説明する。ここでは、テープカセット３０の半円溝３８に設けられたフック係合部７８ａを例にして説明する。
【００５５】
図６に示すように、半円溝３８には、フック係合部７８ａが設けられている。フック係合部７８ａは、下ケース３１ｂと上ケース３１ａとが係合される部分である。フック係合部７８ａは、下ケース３１ｂに設けられた係合孔７９ａと、上ケース３１ａに設けられた、係合爪８１０を有する係合アーム８０ａ（図７参照）とを備えている。下ケース３１ｂの下半円溝３８ｂにおける左部の上端よりやや下側には、係合孔７９ａが設けられている。係合孔７９ａは、下ケース３１ｂに設けられた正面視で左右方向に長い矩形状の貫通した孔である。係合孔７９ａには、上ケース３１ａから下方に突出した係合アーム８０ａに設けられた係合爪８１０が係合される。これによって、下ケース３１ｂと上ケース３１ａとが係合される。なお、係合孔７９ａは、正面視で係合爪８１０より大きな孔である。
【００５６】
次に、図７を参照して、係合アーム８０ａと係合爪８１０との構造について説明する。図７に示すように、上ケース３１ａの上半円溝３８ａの左部の上端から下端にかけて、平面視で凹状に形成された窪み部８４が設けられている。窪み部８４の凹み部分の深さは、下ケース３１ｂの下半円溝３８ｂを形成する壁の厚みと略同一である。窪み部８４の下端から下側には、先端部に係合爪８１０を備えた係合アーム８０ａが突出して設けられている。係合アーム８０ａは、角柱状の形状をしており、その下端部から右斜め前方に向かって、係合爪８１０が突出している。これによって、係合アーム８０ａは、係合爪８１０と一体として鉤状に形成されている。係合爪８１０が下ケース３１ｂの係合孔７９ａと係合することによって、下ケース３１ｂと上ケース３１ａとが係合される。また、係合アーム８０ａは、テープカセット３０における斜め前後方向の可撓性を有する。このため、係合アーム８０は、係合アーム８０の背面の方向に撓むことができる。
【００５７】
次に、図８及び図９を参照して、係合孔７９ａと係合爪８１０との係合について説明する。前述したように、係合アーム８０ａは、係合アーム８０ａの背面の方向（図８では右方向）に撓むことができるように形成されている。図８に示すように、下ケース３１ｂと上ケース３１ａとが係合される場合には、係合爪８１０の前端部が下半円溝３８ｂの背面に当接しながら、下方向に移動する。このとき、係合爪８１０の前端部が、下半円溝３８ｂの背面によって、係合アーム８０ａの背面の方向に押圧されるため、係合アーム８０ａは、係合アーム８０ａの背面の方向に撓む。また、下半円溝３８ｂは、係合爪８１０の前端部によってテープカセット３０の右前方向（図１６では左方向）に押圧されるため、右前方向に撓む。そして、係合爪８１０が、係合孔７９ａの位置に到達すると、図９に示すように、係合爪８１０が係合孔７９ａに入り込み、下ケース３１ｂと上ケース３１ａとが係合される。このとき係合アーム８０ａと下半円溝３８ｂとは撓んでいない。また、このとき、係合爪８１０は、係合孔７９ａの上面と当接している。例えば、テープカセット３０に衝撃が加えられた場合でも、係合爪８１０と係合孔７９ａの上面とが当接しているため、下ケース３１ｂと上ケース３１ａとが上下方向に離れてしまうことがない。つまり、下ケース３１ｂと上ケース３１ａの間に浮きが発生することや、下ケース３１ｂと上ケース３１ａとが離れてしまうことを防止することができる。
【００５８】
なお、半円溝３８に設けられたフック係合部７８ａを例にして説明したが、その他のフック係合部７８ｂ〜７８ｆもフック係合部７８ａと同様に、下ケース３１ｂと上ケース３１ａとを係合する。つまり、係合孔７９ｂ〜７９ｆ、係合アーム８０ｂ〜８０ｆ、及び係合爪８１０は、それぞれ係合孔７９ａ、係合アーム８０ａ、及び係合爪８１０と同様の形状をしており、下ケース３１ｂと上ケース３１ａとを係合する。フック係合部７８ｂ〜７８ｆの配置については、後述する。
【００５９】
次に、図１０乃至図１４を参照して、圧入係合部８８について、説明する。なお、圧入係合部８８ａ〜８８ｈの構造はそれぞれ同様であるので、ここでは、圧入係合部８８ａ〜８８ｈのいずれかを特定しない圧入係合部８８について説明する。圧入係合部８８は、下ケース３１ｂと上ケース３１ａとが係合される部分である。圧入係合部８８は、下ケース３１ｂに設けられた円筒部材８６と、上ケース３１ａに設けられた圧入ピン８７とを備えている。
【００６０】
まず、図１０および図１２を参照して、円筒部材８６について説明する。前述したように、テープカセット３０の下ケース３１ｂには、複数の円筒部材８６が立設されている。図１０および図１２に示すように、円筒部材８６には、円筒孔部８６１が設けられている。円筒孔部８６１は、テープカセット３０の底面３０ｂ（図５参照）に貫通しない凹状であり、平面視で円形に形成されている。なお、円筒孔部８６１は、テープカセット３０の底面３０ｂに貫通する孔に形成してもよい。円筒孔部８６１の上部は、上端の開口径が最大となるように徐々に広くなっている。このため、円筒孔部８６１に圧入ピン８７を容易に挿入することが可能である。
【００６１】
次に図１１を参照して、圧入ピン８７について説明する。なお、図１１に示す上ケース３１ａは、下方にむけて、円柱が突出するように形成されているが、この円柱は、円筒部材８６と当接することによって、テープカセット３０の高さを決定するために設けられている。圧入係合部８８が設けられている場所によって、上ケース３１ａに円柱が設けられていない場合もある。また、円柱状とは別の形状に形成されている場合もある。
【００６２】
テープカセット３０の上ケース３１ａには、複数の圧入ピン８７が設けられている（図１６参照）。図１１に示すように、圧入ピン８７は、支柱部８７１と突起部材８７２とから構成されている。支柱部８７１は、円柱状に形成された上ケース３１ａの下面から下方に向かって延びている。支柱部８７１は、略円柱状であり、上下方向における中央よりやや下側から、徐々に径が小さくなるように形成されている。つまり、支柱部８７１の下部（以下、支柱先端部８７１１という。）は、先端が細くなるように形成されている。支柱先端部８７１１の底面の円の径は、円筒部材８６に設けられた円筒孔部８６１（図１２参照）の円の径より小さく形成されている。このため、円筒部材８６の円筒孔部８６１に支柱部８７１を容易に挿入することが可能である。
【００６３】
また、支柱部８７１の周囲には、複数の突起部材８７２が放射状に設けられている。突起部材８７２は、上下方向における支柱部８７１の略中央から上側に設けられており、その上端は、円柱状に形成された上ケース３１ａの下面と接続されている。また、突起部材８７２は、平面視で円弧状に支柱部８７１から突出している。突起部材８７２を含んだ圧入ピン８７の径は、円筒孔部８６１（図１２参照）の円の径より大きく形成されている。また、突起部材８７２の下部は、下端に向かうほど徐々に径が小さい円弧になるように形成されている。つまり、突起部材８７２の下部は、先端が細くなるように形成されている。これにより、圧入ピン８７が円筒部材８６の円筒孔部８６１に挿入される場合に、突起部材８７２の下部が円筒部材８６の上面に引っかかることなく、スムーズに挿入される。
【００６４】
次に、圧入ピン８７が、円筒部材８６の円筒孔部８６１に挿入される場合について、図１２乃至図１４を参照して説明する。テープカセット３０が製造される際には、下ケース３１ｂと上ケース３１ａとが係合される。下ケース３１ｂと上ケース３１ａとが係合される場合には、図１２に示すように、まず、支柱先端部８７１１が円筒孔部８６１に挿入される。前述したように、支柱先端部８７１１の下面の円の径は、円筒孔部８６１の円の径より小さく形成されている。また、円筒孔部８６１の上端は、開口部分が広く形成されている。このため、支柱先端部８７１１が、スムーズに円筒孔部８６１内に案内される。そして、円筒孔部８６１に沿って、支柱部８７１が挿入される。
【００６５】
次に、圧入ピン８７が円筒孔部８６１にさらに挿入されると、図１３に示すように、突起部材８７２が円筒孔部８６１に挿入され始める。前述したように、突起部材８７２は先端が細くなるように形成されている。また、円筒孔部８６１の上端は、開口部分が広く形成されている。このため、突起部材８７２の下部が円筒部材８６の上面に引っかかることなく、スムーズに挿入される。突起部材８７２を含んだ圧入ピン８７の径は、円筒孔部８６１の円の径より大きく形成されている。このため、突起部材８７２が円筒部材８６に押圧されて潰されながら、圧入ピン８７が円筒孔部８６１に挿入される。また、円筒部材８６が突起部材８７２に押圧されて外側に広げられながら、圧入ピン８７が円筒孔部８６１に挿入される。
【００６６】
そして、圧入ピン８７が円筒孔部８６１にさらに挿入されると、図１４に示すように、円筒部材８６の上面と、支柱部８７１が立設されている円柱状に形成された上ケース３１ａの下面とが当接する。これにより、圧入ピン８７の円筒孔部８６１への挿入が終了される。このとき、突起部材８７２が円筒部材８６に押圧されて潰され、円筒部材８６が突起部材８７２に押圧されて外側に広げられている。このように、圧入ピン８７が円筒部材８６に加圧挿入されることで、円筒部材８６と圧入ピン８７とが強固に係合される。これにより、下ケース３１ｂと上ケース３１ａとが係合される。なお、このとき、円筒部材８６が外側に広げられるので、円筒部材８６に変形や白化や発生する。しかし、円筒部材８６は、テープカセット３０の外周壁２７に接触していないため（図１５参照、後述）、外観に変形や白化などの不具合が発生することはない。
【００６７】
次に、図１５乃至図１６を参照して、円筒部材８６、圧入ピン８７、及び圧入係合部８８の配置を説明する。なお、圧入係合部８８は、下ケース３１ｂに設けられた円筒部材８６と、上ケース３１ａに設けられた圧入ピン８７とを含むものであるが、図１５においては、説明のため、圧入係合部８８が構成される位置を図示している。
【００６８】
図１５に示すように、下ケース３１ｂの左右方向の略中央、且つ第一収納領域２３と第二収納領域２４と第四収納領域２６に囲まれた部分には、円筒部材８６ａが設けられている。円筒部材８６ａは、フィルムテープ５９の左前側に設けられたフィルムテープ周囲壁２２ａに接触している。また、円筒部材８６ａから、フィルムテープ５９の巻回中心を挟んで、第四収納領域２６の反対側、且つ背面壁２７２と右面壁２７３とに接触しない位置には、円筒部材８６ｂが設けられている。円筒部材８６ｂは、フィルムテープ５９の右後側に設けられたフィルムテープ周囲壁２２ｂに接触している。また、円筒部材８６ａから、リボン巻取スプール４４の回動中心を挟んで、第四収納領域２６の反対側には、円筒部材８６ｃが設けられている。円筒部材８６ｃは、ヘッド挿入部壁３３を構成する壁に接触している。また、第一収納領域２３の右後側、且つ背面壁２７２に接触しない位置には、円筒部材８６ｄが設けられている。円筒部材８６ｄは、両面粘着テープ５８の右後側に設けられた両面テープ周囲壁２１ａに接触している。また、円筒部材８６ｄから、両面粘着テープ５８の巻回中心を挟んで、第一収納領域２３の反対側、且つ左面壁２７４に接触しない位置には、円筒部材８６ｅが設けられている。また、第一収納領域２３の左後側、且つ左面壁２７４と背面壁２７２とに接触しない位置には、円筒部材８６ｆが設けられている。円筒部材８６ｆは、両面粘着テープ５８の左後側に設けられた両面テープ周囲壁２１ｂに接触している。また、第一収納領域２３の前側、且つヘッド挿入部壁３３に接触する位置には、円筒部材８６ｇが設けられている。また、テープカセット３０の右前部における右面壁２７３と前面壁２７１とに接触しない位置には、円筒部材８６ｈが設けられている。
【００６９】
また、図１６に示すように、上ケース３１ａにおける、下ケース３１ｂに設けられた円筒部材８６ａ〜８６ｈに対応する位置には、圧入ピン８７ａ〜８７ｈが設けられている。
【００７０】
下ケース３１ｂと上ケース３１ａとが係合される場合には、円筒部材８６ａ〜８６ｈに、それぞれ対応する圧入ピン８７ａ〜８７ｈが加圧挿入され、係合される。これにより、圧入係合部８８ａ〜８８ｈが構成される。図１５に示すように、圧入係合部８８ａと圧入係合部８８ｂとは、フィルムテープ５９の巻回中心を挟んで互いに対向する位置に配置されている。また、圧入係合部８８ａと圧入係合部８８ｃとは、リボン巻取スプール４４に巻き取られたインクリボン６０の巻回中心を挟んで互いに対向する位置に配置されている。また、圧入係合部８８ｄと圧入係合部８８ｅとは、両面粘着テープ５８の巻回中心を挟んで互いに対向する位置に配置されている。また、圧入係合部８８ａと圧入係合部８８ｆとを結ぶ線、圧入係合部８８ａと圧入係合部８８ｅとを結ぶ線、及び圧入係合部８８ｄと圧入係合部８８ｇとを結ぶ線は、それぞれ両面粘着テープ５８が収納される第一収納領域２３と交差する。また、圧入係合部８８ｃと圧入係合部８８ｈとを結ぶ線は、インクリボン６０が収納される第三収納領域２５と交差する。さらに、テープカセット３０の平面視における四隅の近傍、且つ前面壁２７１と背面壁２７２と右面壁２７３と左面壁２７４とに接触しない位置には、圧入係合部８８ｂ、８８ｅ、８８ｆ、８６ｈが設けられている。また、圧入係合部８８ｂと圧入係合部８８ｅとは、テープカセット３０の対角に設けられている。また、圧入係合部８８ｆと圧入係合部８８ｈとは、テープカセット３０の対角に設けられている。
【００７１】
テープカセット３０の内部に設けられる両面粘着テープ５８、フィルムテープ５９、インクリボン６０、及びリボン巻取スプール４４の内、最も重量が大きい部品は、両面粘着テープ５８である。また、２番目に重量が大きい部品は、フィルムテープ５９である。
【００７２】
このように、最も重量の大きい両面粘着テープ５８を収納する第一収納領域２３に接して、あるいは近傍に５つの圧入係合部８８ａ、８８ｄ、８８ｅ、８８ｆ、８８ｇが設けられ、互いに両面粘着テープ５８の巻回中心を挟んで対向する位置、又は、互いを結ぶ線が第一収納領域２３と交差するように配置されている。また、２番目に重量の大きいフィルムテープ５９の周囲には、２つの圧入係合部８８ａ、８８ｂが互いにフィルムテープ５９の巻回中心を挟んで対向する位置に配置されている。また、リボン巻取スプール４４の周囲には、２つの圧入係合部８８ａ、８８ｃが互いにリボン巻取スプール４４に巻き取られたインクリボン６０の巻回中心を挟んで対向する位置に配置されている。また、インクリボン６０の周囲には、２つの圧入係合部８８ｃ、８８ｈが設けられ、互いを結ぶ線が第三収納領域と交差するように配置されている。さらに、テープカセット３０の平面視における四隅の近傍には、圧入係合部８８ｂ、８８ｅ、８８ｆ、８８ｈが配置されている。
【００７３】
このように、テープカセット３０の内部に設けられる両面粘着テープ５８、フィルムテープ５９、インクリボン６０、及びリボン巻取スプール４４の周囲で下ケース３１ｂと上ケース３１ａとを係合することができる。また、テープカセット３０の四隅で下ケース３１ｂと上ケース３１ａとを係合することができる。このため、例えば、テープカセット３０が落下した場合の衝撃によって、両面粘着テープ５８、フィルムテープ５９、リボン巻取スプール４４、及びインクリボン６０が振られた場合でも、下ケース３１ｂと上ケース３１ａとの係合を保持することができる。つまり、下ケース３１ｂと上ケース３１ａとの間に浮きが発生することを抑制することができる。
【００７４】
また、圧入係合部８８ａと圧入係合部８８ｂとは、フィルムテープ５９の巻回中心を挟んで互いに対向する位置に配置されている。圧入係合部８８ａと圧入係合部８８ｃとは、リボン巻取スプール４４に巻き取られたインクリボン６０の巻回中心を挟んで互いに対向する位置に配置されている。圧入係合部８８ｄと圧入係合部８８ｅとは、両面粘着テープ５８の巻回中心を挟んで互いに対向する位置に配置されている。このように、フィルムテープ５９とインクリボン６０と両面粘着テープ５８とをそれぞれ挟むように、圧入係合部８８が配置されているので、効率的に、下ケース３１ｂと上ケース３１ａとの係合を保持することができる。つまり、効率的に下ケース３１ｂと上ケース３１ａとの間に浮きが発生することを抑制することができる。
【００７５】
また、圧入係合部８８ａは、第一収納領域２３の周囲、第二収納領域２４の周囲、第四収納領域２６の周囲、及びテープカセット３０の略中央での下ケース３１ｂと上ケース３１ａとの係合機能を兼ねている。また、テープカセット３０の四隅で下ケース３１ｂと上ケース３１ａとを係合する圧入係合部８８ｂ、８８ｅ、８８ｆ、８８ｈのうち、圧入係合部８８ｂは、第二収納領域２４の周囲での下ケース３１ｂと上ケース３１ａとの係合機能を兼ねている。また、圧入係合部８８ｅ、８８ｆは、第一収納領域２３での周囲での下ケース３１ｂと上ケース３１ａとの係合機能を兼ねている。また、圧入係合部８８ｈは、第三収納領域２５での下ケース３１ｂと上ケース３１ａとの係合機能を兼ねている。このように、一の圧入係合部８８が二以上の係合機能を兼ねているため、少ない圧入係合部８８の配置で、下ケース３１ｂと上ケース３１ａとを効率的に係合することができる。
【００７６】
また、前述したように、円筒部材８６と、圧入ピン８７とが係合される場合、円筒部材８６が外側に広げられるので、円筒部材８６に変形や白化や発生する。従来のように、円筒部材８６が外周壁２７に接触している場合には、円筒部材８６が外側に広げられるため、外周壁２７に変形や白化が発生する。つまり、テープカセット３０の外観に変形や白化などの不具合が発生する。一方、本実施の形態では、すべての円筒部材８６は、外周壁２７と接触していない。このため、円筒部材８６が外側に広げられ、円筒部材８６に変形や白化や発生しても、テープカセット３０の外観に変形や白化など不具合が発生することはない。
【００７７】
さらに、テープカセット３０の外観に変形や白化などの不具合が発生することがないので、変形や白化などを気にすることなく、円筒部材８６と圧入ピン８７とを係合する圧力を高めることができる。このため、下ケース３１ｂと上ケース３１ａとの係合をさらに強くすることができる。なお、円筒部材８６と圧入ピン８７とを係合する圧力を高める方法は、例えば、圧入ピン８７を太くすること等である。
【００７８】
また、従来のように、円筒部材８６が外周壁２７に接触している場合には、円筒部材８６と外周壁２７とが接触している部分は、円筒部材８６と外周壁２７とが離れている場合に比べて、テープカセット３０の内側において合成樹脂の厚みが厚くなる。このため、成型時に外周壁２７の外面において、いわゆるヒケが発生しやすい。そして、このヒケが外周壁２７の外面にあらわれることによって、外観上の不具合となる場合がある。本実施の形態では、すべての円筒部材８６は、外周壁２７と接触していないため、外周壁２７の厚みが厚くならない。このため、成型時にヒケが発生することを抑制することができる。つまり、外観上の不具合の発生を抑制することができる。
【００７９】
次に、図１５及び図１６を参照して、係合孔７９、係合アーム８０、及びフック係合部７８の配置を説明する。なお、フック係合部７８は、下ケース３１ｂに設けられた係合孔７９と、上ケース３１ａに設けられた、係合爪８１０を有する係合アーム８０とを含むものであるが、図１５においては、説明のため、フック係合部７８が構成される位置を図示している。
【００８０】
前述したように、下ケース３１ｂと上ケース３１ａとは、複数のフック係合部７８ａ〜７８ｆによって係合される。複数のフック係合部７８ａ〜７８ｆは、下ケース３１ｂに設けられた係合孔７９ａ〜７９ｆと、上ケース３１ａに設けられた、係合爪８１０を有する係合アーム８０ａ〜８０ｆとを備えている。図１５に示すように、下ケース３１ｂの前面壁２７１に設けられた下半円溝３８ｂの左部の上端からやや下側には、係合孔７９ａが設けられている。また、下ケース３１ｂの左右方向における略中間位置、且つヘッド挿入部壁３３を構成する壁の上端からやや下側には、係合孔７９ｂが設けられている。また、下ケース３１ｂの背面壁２７２の中央よりやや右側、且つ上端よりやや下側には、係合孔７９ｃが設けられている。また、下ケース３１ｂの背面壁２７２の左部の上端からやや下側には、係合孔７９ｄが設けられている。また、一対のカセット矩形孔６８のうち、右側のカセット矩形孔６８の右面、且つ下ケース３１ｂの上端よりやや下側には、係合孔７９ｅが設けられている。したがって、係合孔７９ｅは、右面壁２７３の近傍に設けられている。また、下ケース３１ｂに設けられた矩形壁６９の右面、且つ上端よりやや下側には、係合孔７９ｆが設けられている。したがって、係合孔７９ｆは、左面壁２７４の近傍に設けられている。
【００８１】
また、図１６に示すように、上ケース３１ａにおける、下ケース３１ｂの係合孔７９ａ〜７９ｆに対応した位置には、係合爪８１０を有した係合アーム８０ａ〜８０ｆが設けられている。
【００８２】
下ケース３１ｂと上ケース３１ａとが係合される場合には、係合孔７９ａ〜７９ｆと、係合爪８１０を有した係合アーム８０ａ〜８０ｆとが係合される。これによって、フック係合部７８ａ〜７８ｆが構成される。
【００８３】
このように、フック係合部７８ａ〜７８ｆは配置されている。つまり、フック係合部７８ａは、テープカセット３０の前面において、下ケース３１ｂと上ケース３１ａとを係合する。また、フック係合部７８ｂは、テープカセット３０の前面の近傍において、下ケース３１ｂと上ケース３１ａとを係合する。また、フック係合部７８ｃとフック係合部７８ｄとは、テープカセット３０の背面において、下ケース３１ｂと上ケース３１ａとを係合する。テープカセット３０の前面と前面の近傍と背面とで下ケース３１ｂと上ケース３１ａとを係合できるため、例えば、下ケース３１ｂと上ケース３１ａとを係合する強度が高くなる。
【００８４】
また、フック係合部７８ｅは、テープカセット３０の右面の近傍において、下ケース３１ｂと上ケース３１ａとを係合する。また、フック係合部７８ｆは、テープカセット３０の左面の近傍において、下ケース３１ｂと上ケース３１ａとを係合する。テープカセット３０の右面の近傍と左面の近傍とで下ケース３１ｂと上ケース３１ａとを係合できるため、下ケース３１ｂと上ケース３１ａとを係合する強度が高くなる。
【００８５】
このように、フック係合部７８ａ〜７８ｆは、テープカセット３０の外周壁２７を構成する各面または各面の近傍で、下ケース３１ｂと上ケース３１ａとを係合するので、下ケース３１ｂと上ケース３１ａとを係合する強度が特に優れている。
【００８６】
以上説明したように、圧入係合部８８ａ〜８８ｈ及びフック係合部７８ａ〜７８ｆで下ケース３１ｂと上ケース３１ａとが係合される。例えば、圧入係合部８８ａ〜８８ｈのみで下ケース３１ｂと上ケース３１ａとが係合される場合、圧入ピン８７と円筒部材８６とが加圧挿入によって強固に係合される。上述したように、圧入係合部８８は、テープカセット３０の内部に設けられる両面粘着テープ５８、フィルムテープ５９、インクリボン６０、及びリボン巻取スプール４４の周囲で下ケース３１ｂと上ケース３１ａとを係合し、さらに、テープカセット３０の四隅で下ケース３１ｂと上ケース３１ａとを係合している。このため、圧入係合部８８は、下ケース３１ｂと上ケース３１ａと間に浮きが発生することを抑制している。しかし、例えばテープカセット３０が強く衝撃を受けた場合において、下ケース３１ｂと上ケース３１ａとが離れる方向（上下方向）に強い力が加えられた場合、圧入ピン８７が円筒部材８６から引き抜かれ、下ケース３１ｂと上ケース３１ａとが離れる可能性がある。一方、フック係合部７８ａ〜７８ｆは、例えばテープカセット３０が落下した場合において、下ケース３１ｂと上ケース３１ａとが離れる方向（上下方向）に強い力が加えられた場合、係合爪８１０が係合孔７９の上面に当接しているため、下ケース３１ｂと上ケース３１ａとが上下方向に離れることを防止することができる。このため、圧入係合部８８ａ〜８８ｈのみによって、下ケース３１ｂと上ケース３１ａとを係合する場合に比べて、下ケース３１ｂと上ケース３１ａとに浮きが発生することをさらに抑制することができる。
【００８７】
以上のように、本実施の形態にかかる発明によれば、下ケース３１ｂと上ケース３１ａとの間に浮きが発生したり、下ケース３１ｂと上ケース３１ａとが離れたりすることを抑制することができる。このため、フィルムテープ５９が適正に排出口３４ａから排出される。フィルムテープ５９が排出口３４ａから適切に排出されるので、フィルムテープ５９に対してサーマルヘッドによって適切に印字が行われる。このため、良好な印字品質を保つことができる。また、外観上の不具合が発生することを抑制することができる。
【００８８】
なお、本発明のテープカセット３０は、上記実施形態に限定されるものではなく、本発明の要旨を逸脱しない範囲内において種々変更を加え得ることは勿論である。
【００８９】
例えば、テープカセット３０に背面が設けられていたが、背面を削除してもよい。また、すべての圧入ピン８７を上ケース３１ａに設け、すべての円筒部材８６を下ケース３１ｂに設けていたが、これに限定されない。例えば、一部又はすべての圧入ピン８７を下ケース３１ｂに設け、対応する一部又はすべての円筒部材８６を上ケース３１ａに設けてもよい。また、すべての係合アーム８０を上ケース３１ａに設け、すべての係合孔７９を下ケース３１ｂに設けていたが、これに限定されない。例えば、一部又はすべての係合アーム８０を下ケース３１ｂに設け、対応する一部又はすべての係合孔７９を上ケース３１ａに設けてもよい。
【００９０】
なお、上記実施形態において、両面粘着テープ５８、フィルムテープ５９、及びインクリボン６０が本発明の「テープ」に相当し、圧入係合部８８が本発明の「係合部」に相当する。また、円筒孔部８６１が本発明の「孔部」に相当し、円筒部材８６が本発明の「筒部材」に相当する。また、圧入ピン８７が本発明の「圧入部材」に相当し、第一収納領域２３、第二収納領域２４、第三収納領域２５、及び第四収納領域２６が本発明の「テープ収納領域」に相当する。また、フック係合部７８が本発明の「第二係合部」に相当し、係合孔７９が本発明の「開口部」に相当する。また、係合爪８１０が本発明の「突起」に相当し、係合アーム８０が本発明の「係合片」に相当する。両面テープ周囲壁２１ａ，２１ｂ，２１ｃ、及びフィルムテープ周囲壁２２ａ，２２ｂが本発明の「壁部」に相当する。
【符号の説明】
【００９１】
１    テープ印字装置
２１ａ〜２１ｃ    両面テープ周囲壁
２２ａ〜２２ｂ    フィルムテープ周囲壁
２３    第一収納領域
２４    第二収納領域
２５    第三収納領域
２６    第四収納領域
２７    外周壁
３０    テープカセット
３０ａ    上面
３０ｂ    底面
３１    カセットケース
３１ａ    上ケース
３１ｂ    下ケース
３４ａ    排出口
３５    アーム前面
３８    半円溝
４４    リボン巻取スプール
５０    印字済テープ
５８    両面粘着テープ
５９    フィルムテープ
６０    インクリボン
６８    カセット矩形孔
６９    矩形壁
７８ａ〜７８ｆ    フック係合部
７９ａ〜７９ｆ    係合孔
８０ａ〜８０ｆ    係合アーム
８６ａ〜８６ｈ    円筒部材
８７ａ〜８７ｈ    圧入ピン
８８ａ〜８８ｈ    圧入係合部
２７１    前面壁
２７２    背面壁
２７３    右面壁
２７４    左面壁
８１０    係合爪
８６１    円筒孔部
８７１    支柱部
８７２    突起部材
８７１１    支柱先端部
【図１】
0005552762.tif 000002
【図２】
0005552762.tif 000003
【図３】
0005552762.tif 000004
【図４】
0005552762.tif 000005
【図５】
0005552762.tif 000006
【図６】
0005552762.tif 000007
【図７】
0005552762.tif 000008
【図８】
0005552762.tif 000009
【図９】
0005552762.tif 000010
【図１０】
0005552762.tif 000011
【図１１】
0005552762.tif 000012
【図１２】
0005552762.tif 000013
【図１３】
0005552762.tif 000014
【図１４】
0005552762.tif 000015
【図１５】
0005552762.tif 000016
【図１６】
0005552762.tif 000017